(57)【要約】【課題】  操作性が良好な荷物位置調整機構を提供すること。【解決手段】  荷物の位置を調整可能として背中で荷物を運ぶための装具であって、背当てフレーム（１）と、キャリーハーネス（２）と、２つの位置制御調整手段（Ｍ１，Ｍ２）を具備し、背当てフレームが、無端ベルト（５）を受領し、無端ベルト（５）が、２つの位置制御調整手段（Ｍ１，Ｍ２）を介して背当てフレームをキャリーハーネスに対して移動させることができ、ロック機構（１１）が、無端ベルト（５）のロックと、無端ベルト（５）の解放と、を行い、ストラップ（６）の一端（６ａ）が、ベルト（５）とハーネスとに対して固定され、ストラップ（６）が、ロック機構（１１）上を通っているとともに、ロック機構（１１）に対して係合しており、ロック機構（１１）を駆動する。【選択図】  図９
2004275749.tif 000002
【特許請求の範囲】
【請求項１】
荷物の位置を調整可能として背中で荷物を運ぶための装具であって、
背当てフレーム（１）と、この背当てフレーム（１）上に配置されたキャリーハーネス（２）と、を具備するタイプのものであり、
さらに、手動遠隔制御を使用した２つの位置制御調整手段（Ｍ１，Ｍ２）を具備し、
これら２つの位置制御調整手段（Ｍ１，Ｍ２）が、互いに独立であり、前記キャリーハーネスに対しての前記背当てフレームの位置を調整することができ、
第１位置制御調整手段（Ｍ１）が、前記背当てフレームを前記キャリーハーネスに対して引き上げることができ、
第２位置制御調整手段（Ｍ２）が、前記背当てフレームを前記キャリーハーネスに対して引き下げることができ、
前記背当てフレームが、幅方向中央において長手方向に延在して配置された無端ベルト（５）を受領し得るよう構成され、
前記無端ベルト（５）が、前記キャリーハーネスに対してストランドによって固定されているとともに、前記２つの位置制御調整手段（Ｍ１，Ｍ２）を介して前記背当てフレームを前記キャリーハーネスに対して移動させることができ、
前記第２位置制御調整手段（Ｍ２）によって張力印加されたロック機構（１１）が設けられ、
このロック機構（１１）が、所望の駆動フェーズに応じて、前記無端ベルト（５）の所定位置へのロックと、前記無端ベルト（５）の解放と、を行うように作用し、
前記第２位置制御調整手段（Ｍ２）が、ストラップ（６）を備え、
このストラップ（６）の一端（６ａ）が、前記ベルト（５）と前記ハーネスとに対して固定され、
前記ストラップ（６）の他端が、制御ハンドルを形成し得るように構成され、
前記ストラップ（６）が、前記ロック機構（１１）上を通っているとともに、前記ロック機構（１１）に対して係合しており、前記ロック機構（１１）を駆動することを特徴とする装具。
【請求項２】
請求項１記載の装具において、
前記第１位置制御調整手段（Ｍ１）が、非弾性的な引っ張り手段（４）を備え、
この引っ張り手段（４）の第１端（４ａ）が、把持手段（４ｂ）を有しつつ、前記背当てフレームの下部に配置され、
前記引っ張り手段（４）の他端（４ｃ）が、前記ハーネスに対して固定されていることを特徴とする装具。
【請求項３】
請求項１記載の装具において、
前記無端ベルト（５）が、張力を印加した状態に維持されており、なおかつ、回転自由とされており、前記背当てフレームの上部に固定的に配置された第１の上側復帰手段（７）に対して、および、前記背当てフレームの下部に固定的に配置された第２の下側復帰手段（８）に対して、配置されていることを特徴とする装具。
【請求項４】
請求項３記載の装具において、
前記上側復帰手段（７）が、シェル部分（７ｄ）を備え、
このシェル部分が、このシェル部分のウィングどうしの間に延在させて、前記ベルトを保持するための下側ピン（７ａ）と、前記ストラップ（６）を復帰させるための上側ピン（７ｇ）と、を有し、
前記双方のピン（７ａ，７ｇ）の間に、ピン（７ｆ）が設けられ、
このピン（７ｆ）回りにおいては、前記ロック機構（１１）が回転可能に取り付けられ、
前記ロック機構（１１）が、弾性復帰手段に抗して回転するレバーとして構成され、
このレバーが、前記無端ベルト（５）の対向部分に対して押圧係合したギザギザ形状部分（１１ａ）と、前記ロック機構に対して張力が印加されていないときには前記ストラップ（６）からオフセットした張出アーム（１１ｂ）と、を有していることを特徴とする装具。
【請求項５】
請求項４記載の装具において、
前記ストラップ（６）が、前記ハーネス（２）と前記ベルト（５）とに対して固定された一端（６ａ）と、把持引っ張りタング（１３）を有した他端（６ｂ）と、を備え、
前記ストラップが、前記ロック機構（１１）上を通っており、さらに、前記背当てフレームと前記ベルトの背面ストランドとの間に配置されていることを特徴とする装具。
【請求項６】
請求項４記載の装具において、
前記ベルト（５）の下端が、バックル固定具（８）のピン（８ａ）を巻回して取り付けられ、
前記バックル固定具（８）が、第２のピン（８ｂ）を有し、
この第２のピン（８ｂ）の周囲に対しては、下端（９ａ）が背当てフレームに対して固定されたループ（９）が、巻回されていることを特徴とする装具。
【請求項７】
請求項４記載の装具において、
ヘアピンスプリングタイプのものとされた前記弾性復帰手段（１２）が、前記レバーの揺動を可能としつつ、前記ピン（７ｆ）に対して取り付けられ、
前記弾性復帰手段（１２）の一方の脚（１２ａ）が、前記復帰手段（７）によって形成された係止壁（７ｈ）上に係止され、
前記弾性復帰手段（１２）の他方の脚（１２ｂ）が、前記張出アーム（１１ｂ）の背面上に係止されていることを特徴とする装具。
【請求項８】
請求項４記載の装具において、
前記ストラップ（６）を復帰させるための前記ピン（７ｇ）が、ドーム形状または円錐形状を有しており、これにより、前記ストラップ（６）を、前記無端ベルト（５）に対して傾斜した向きとすることを可能としており、
前記ストラップ（６）の幅が、このピン（７ｇ）の形状に適合したものとされていることを特徴とする装具。
【請求項９】
請求項１記載の装具において、
前記ストラップ（６）が、自由端（６ｂ）を有したストランドとされ、
前記自由端（６ｂ）が、把持タング（１３）の形態として形成された前記手段（Ｍ２）の制御ハンドルに対して連結されていることを特徴とする装具。
【請求項１０】
請求項１記載の装具において、
前記ストラップ（６）が、長さにわたっての一部上において、前記復帰手段（７）を巻回している場所においては、目盛付きスケール（１４）を有し、
この目盛付きスケール（１４）は、前記復帰手段を使用して形成された参照インデックス（１５）に対して、前記背当てフレームと前記ハーネスとの間の相対位置を規定していることを特徴とする装具。
【請求項１１】
請求項１０記載の装具において、
前記復帰手段（７）が、前記ロック機構（１１）を保護するためのカバー（１６）を受領し得るよう構成され、
前記カバー（１６）の前面（１６ａ）が、ウィンドウ（１６ｂ）を有し、
このウィンドウ（１６ｂ）が、前記ストラップ（６）と前記目盛付きスケールとに対して対向しており、
前記参照インデックスが、前記カバーに付設されていることを特徴とする装具。
【請求項１２】
請求項１〜１１のいずれか１項に記載の装具において、
旅行カバンに対して適用されていることを特徴とする装具。
【請求項１３】
請求項１〜１１のいずれか１項に記載の装具において、
屋外仕事のためのリュックサックに対して適用されていることを特徴とする装具。
【請求項１４】
請求項１〜１１のいずれか１項に記載の装具において、
通学カバンに対して適用されていることを特徴とする装具。
【請求項１５】
請求項１〜１１のいずれか１項に記載の装具において、
しょいこに対して適用されていることを特徴とする装具。
【発明の詳細な説明】
【技術分野】
【０００１】
本発明は、旅行カバンや、屋外仕事のためのリュックサックや、いろんな荷物を運んで携行するための通学カバンや、しょいこ、といったような技術分野に関するものであり、一般的には、使用者に適合するハーネスを備えているような、背中で荷物を運ぶための任意の装具に関するものである。
【背景技術】
【０００２】
ある種のリュックサック応用においては、バッグ部分の位置調整のためのデバイスが、提案されている。そのようなデバイスは、キャリーハーネスに関連したバッグ背当て部分に対していくらかの程度で係合したものであって、背負う前に選択的に調整することができる、あるいは、遠隔制御システムを使用して遠隔的に調整することができる。提案されたデバイスは、全く実用的ではなく、実施が困難であり、製造コストが高い。
【０００３】
本出願人が知る限りにおいては、旅行カバンによる運搬に関しては、使用者にとって十分に満足のいくような荷物位置の調整可能性が存在しない。運搬を容易とするための車輪と引込可能な把持ハンドルとを備えたタイプの旅行カバンが、しだいに一般的となってきている。このタイプの旅行カバンにおいては、肩ストラップを有するものもある。車輪による輸送が困難な場合には、旅行者は、旅行カバンを持ち上げて運ばなくてはならない。荷物に応じて位置調整を行うことはできない。
【０００４】
通学カバンの場合においても、また、しょいこの場合においても、状況は同じである。なお、本出願人の知る限りにおいては、本出願に関連性を有する先行技術文献は存在しない。
【発明の開示】
【課題を解決するための手段】
【０００５】
よって、本出願人は、荷物の位置を調整可能として背中で荷物を運ぶための装具に関する新規な構成を提供する。本発明は、旅行カバンや、屋外仕事のためのリュックサックや、いろんな荷物を運んで携行するための通学カバンや、しょいこ、といったようなものに使用することができ、一般的には、使用者が背中で荷物を運ぶための任意の装具に使用することができる。
【０００６】
すなわち、本出願人による研究開発により、上述したすべての潜在的使用に関しての上記課題を解決し得る装具がもたらされた。
【０００７】
よって、本発明においては、装具は、すべてのタイプのカバンや荷物支持体に対して固定し得るような共通構成の使用を必須としている。
【０００８】
第１の特徴点においては、荷物の位置を調整可能として背中で荷物を運ぶための装具は、背当てフレームと、この背当てフレーム上に配置されたキャリーハーネスと、を具備するタイプのものであり、特筆すべきことは、手動遠隔制御を使用した２つの位置制御調整手段を具備し、これら２つの位置制御調整手段が、互いに独立であり、キャリーハーネスに対しての背当てフレームの位置を調整することができ、第１位置制御調整手段が、背当てフレームをキャリーハーネスに対して引き上げることができ、第２位置制御調整手段が、背当てフレームをキャリーハーネスに対して引き下げることができ、背当てフレームが、幅方向中央において長手方向に延在して配置された無端ベルトを受領し得るよう構成され、無端ベルトが、キャリーハーネスに対してストランドによって固定されているとともに、２つの位置制御調整手段を介して背当てフレームをキャリーハーネスに対して移動させることができ、第２位置制御調整手段によって張力印加されたロック機構が設けられ、このロック機構が、所望の駆動フェーズに応じて、無端ベルトの所定位置へのロックと、無端ベルトの解放と、を行うように作用し、第２位置制御調整手段が、ストラップを備え、このストラップの一端が、ベルトとハーネスとに対して固定され、ストラップの他端が、制御ハンドルを形成し得るように構成され、ストラップが、ロック機構上を通っているとともに、ロック機構に対して係合しており、ロック機構を駆動する。
【発明を実施するための最良の形態】
【０００９】
上記特徴点および他の特徴点は、以下の説明により明瞭となるであろう。
【００１０】
本発明の目的は、本発明を何ら限定するものではなく、添付図面に例示されている。
【００１１】
本発明の主題による着想をより具体的に説明するために、以下においては、本発明を何ら制限することなく、添付図面を参照して説明する。
【００１２】
以下の説明においては、荷物の位置を調整可能として背中で荷物を運ぶための装具は、図９〜図１３に示す原理において説明される。限定するものではないけれども、背中による運搬に関する応用を識別するに際して、図１〜図８に例示されているものは、例えば学生カバンタイプといったような通学カバン（Ａ）であり、例えばナップサックタイプといったような、屋外仕事のためのリュックサック（Ｂ）であり、車輪付きスーツケースタイプの旅行カバン（Ｃ）であり、また、屋外仕事のためのしょいこ（Ｄ）、である。以下の説明においては、上述した各種応用を参照するに際して、製品（Ｐ）という一般的な用語を使用する。本発明に基づいて背中で荷物を運ぶための装具は、製品が、所定形状の背当てフレーム（１）を備え、この背当てフレーム（１）が、縫合等によって製品に対して任意の適切な手法によって固定されていることを、必須としている。よって、背当てフレーム（１）は、一方の面においては、本発明による装具と協働し得るよう構成され、他の面においては、製品の部材と協働し得るよう構成されている。この背当てフレーム（１）は、剛直なカバー材料を備えて形成されている、あるいは、織布製外側カバーによってカバーされた熱成形されたシェルの形態として形成されている。
【００１３】
公知なように、製品の背当てフレームは、使用者に向かう面上に、キャリーハーネス（２）を受領することができる。キャリーハーネス（２）は、荷物を担ぐことを可能とする肩ストラップ（２ａ，２ｂ）を有している。製品の背当てフレームに対してのハーネスの位置の調節は、公知なように、チューブ状スライド路（３）に沿って、あるいは、背当てフレームに沿って配置された他の形状に沿って、行うことができる。ハーネスは、スライド路に沿って上下動するループを有している。
【００１４】
本発明は、特に、製品に関連した背当てフレームの、キャリーハーネスに対しての位置調整を可能とし得るデバイスに関するものであり、したがって、この機能を可能とし得るような、背当てフレームとハーネスとからなるアセンブリの構成に関するものである。このような位置調整は、使用者に対して固定位置とされたキャリーハーネスに対しての、製品の背当てフレームの移動に関して、２次元的に行われなければならない。
【００１５】
本発明においては、キャリーハーネスに対してのバッグ背当て部分の位置調整を可能とし得るデバイスは、使用者自身によって手動で張力印加された遠隔制御を使用して行われる第１調整手段（Ｍ１）を備えている。この第１調整手段は、実質的に、製品に関連した背当てフレームを、ハーネスに対して引き上げるためのものである。
【００１６】
第１調整手段（Ｍ１）は、非弾性的な引っ張り手段（４）を備えている。この引っ張り手段（４）の自由端（４ａ）は、製品に関連した背当てフレームの下部に配置されている。この自由端（４ａ）は、ループやハンドル（４ｂ）等といったような形状とされていて、把持して引っ張るための手段を形成し得るよう構成されている。引っ張り手段（４）の他端（４ｃ）は、ハーネス（２）に対して、直接的にまたは間接的に固定されている。
【００１７】
よって、使用者が引っ張り手段（４）の把持端（４ｂ）を手動で引っ張ったときには、引っ張り手段が引っ張られ、すなわち、背当てフレームの下端がハーネスの下端に引き寄せられ、これにより、製品に関連した背当てフレームが引き上げられることは、理解されるであろう。
【００１８】
本発明によるデバイスは、さらに、ハーネスに対して背当てフレームを引き下げ、これにより、互いの間の位置調整を微細に調節し得る手段（Ｍ２）を備えている。
【００１９】
より詳細には、この手段（Ｍ２）は、全体的に、ハーネス（２）と背当てフレーム（１）との間を連結する連結手段であるとともに最大上昇位置へとあるいは最大下降位置へとあるいは中間位置へと互いを移動させるための連結手段（５）と、所望の位置調節を行うための第２制御手段（６）と、を備えている。
【００２０】
連結手段（５）は、任意の適切な材料から形成された無端ベルトの形態とされている。この無端ベルトは、背当てフレームの幅方向中央に位置しかつ長手方向に延在する軸に沿って、配置されている。このベルトは、張力を印加した状態に維持されており、なおかつ、回転自由とされており、背当てフレームの上端に固定的に配置された第１復帰手段（７）に対して、および、背当てフレームの下端に固定的に配置された第２復帰手段（８）に対して、配置されている。
【００２１】
ベルト（５）の下端は、バックル固定具（８）のピン（８ａ）を巻回している。一方、このバックル固定具（８）のピン（８ｂ）の周囲に対しては、ループ（９）が巻回している。ループ（９）の下端（９ａ）は、背当てフレームの下端に対して、適切な態様で固定されている。
【００２２】
連結用の無端ベルト（５）は、上部においては、上側復帰手段（７）のピン（７ａ）の周囲に巻回されて、張力を印加されている。ピン（７ａ）は、上側復帰手段（７）のウィング（７ｂ）どうしの間に配置されている。
【００２３】
無端ベルトは、背当てフレームの一方の面だけに配置されている。この無端ベルトは、１つまたは複数の連結手段（１０）によって、キャリーハーネス（２）に対して、ストランド（７ｃ）を介して、固定されている。よって、背当てフレームに対してのハーネスの移動が、背当てフレームに対してのハーネスの外側部材や上側部材や下側部材によって規定された大きさでもって、無端ベルトの移動に密接に関連することは、理解されるであろう。このようなハーネスと無端ベルトとの間の連結は、任意の適切な手段によって行われる。
【００２４】
復帰手段（７）は、ピン（７ａ）を有したシェル部分（７ｄ）を備えている。ピン（７ａ）の周囲には、ベルト（５）をなすストランドが巻回される。上側復帰手段（７）のベース部（７ｅ）は、任意の適切な手段によって背当てフレーム（１）に対して固定されている。復帰手段（７）は、付加的なピン（７ｆ）を備えている。このピン（７ｆ）回りにおいては、ロック機構（１１）が揺動するようになっている。復帰手段（７）は、ウィング（７ｂ）どうしの間に延在する上側ピン（７ｇ）を備えている。このピン（７ｇ）の機能については、後述する。ピン（７ｆ）回りに回転し得るように取り付けられたロック手段（１１）は、無端ベルト（５）の対向部分に対して係合可能とされかつその対向部分を押圧し得るようなギザギザ形状部分（１１ａ）を有して、構成されている。ロック手段（１１）は、ギザギザ形状部分（１１ａ）に対してＶ字角度を形成した張出部分（１１ｂ）を有している。張出部分（１１ｂ）は、ギザギザ形状部分（１１ａ）がなす平面に対して角度的にオフセットされた平面内に位置している。ヘアピンタイプの復帰スプリング（１２）が、ピン（７ｆ）に対して取り付けられている。復帰スプリング（１２）の一方の脚（１２ａ）は、復帰手段（７）上に形成された係止壁（７ｈ）上に係止されることができ、復帰スプリング（１２）の他方の脚（１２ｂ）は、張出部分（１１ｂ）の背面上に係止されている。
【００２５】
さらに、本発明においては、制御手段（Ｍ２）は、ストラップ（６）を備えている。ストラップ（６）の一端（６ａ）は、ベルト（５）がハーネス（２）に対して固定されているところに位置した領域（１０）において、連結ベルト（５）に対して固定されている。図９〜図１３からわかるように、ストラップ（６）は、ロック機構（１１）上を通っており、特に回転レバー（１１）の張出部分（１１ｂ）上において、ロック機構（１１）に対して係合している。ストラップ（６）は、上側ピン（７ｇ）の周囲にわたって巻回されており、このため、上側ピン（７ｇ）を超えたところにおいては、背当てフレームと連結ベルト（５）の背面ストランドとの間へと案内されている。ストラップ（６）は、自由端（６ｂ）を有しており、把持タング（１３）の形態として形成された手段（Ｍ２）の制御ハンドルに対して連結することができる。ストラップ（６）は、上記のように構成されていることにより、結局のところ、バッグ背当てフレームとハーネスとを相互位置決めするための制御手段（Ｍ２）を形成する。
【００２６】
この実施形態においては、上側復帰手段（７）は、ストラップ（６）の通過および復帰のためのピン（７ｇ）を有している。ストラップ（６）は、連結用無端ベルト（５）がなす平面の外部においては、傾斜状態とされている。これにより、使用者は、ストラップ（６）を引っ張ることができる。ピン（７ｇ）は、ドーム形状または円錐形状（７ｇ１）を有している。ドーム形状であるか円錐形状であるかにかかわらず、この形状は、ストラップ（６）の幅と、ストラップの位置決めをもたらし得るような所望配向と、に依存する。これにより、ストラップ（６）は、スライドによって横向きに配向することができ、傾斜状態をとることができる。
【００２７】
ストラップを、バッグ背当て部分の右側と左側とのどちらにでも引っ張り得るようにしたい場合には、ピン（７ｇ）は、ドーム形状を有するものとされ、ストラップ（６）の幅は、ピン（７ｇ）の長さの約半分とされる。これにより、所望の向きが与えられたときに、ストラップを、右側にでも左側にでもスライドさせて位置決めすることができる。
【００２８】
ストラップ（６）を、一方側だけに斜めに配向させる場合には、ピン（７ｇ）は、ストラップを配置させたい側を向いた傾斜を有したような円錐形状のものとされる。ストラップ（６）の幅は、より広い幅のものとすることができる。
【００２９】
次に、添付図面を参照して、本発明によるデバイスの使用方法について説明する。
【００３０】
制御手段（Ｍ１）を駆動することにより、手段（４）に対して張力が印加され、手段（４）の端部（４ｃ）が連結ベルト（５）に対して取り付けられていることのために、これにより、ハーネス（２）に関連した連結ベルト（５）が引っ張られる。これにより、ベルト（５）が、ロック手段（１１）に抗して、下向きに回転駆動される。これにより、矢印（Ｆ１）方向の回転が誘起され、結局のところ、バッグ背当てフレームが、矢印（Ｆ２）の向きに持ち上げられる。一方、ハーネスは、使用者に対しての所定位置に留まったままである。
【００３１】
一方、制御手段（Ｍ２）が引っ張られたときには、ストラップ（６）が駆動される。引っ張り力の作用により、ストラップが張出アーム（１１ｂ）に対して係合していることのために、ストラップは、レバー（１１）を回転させる。これにより、連結ベルト（５）が解放される。これにより、バッグ背当てフレームは、下向きに移動することができる。
【００３２】
本発明の他の特徴点においては、背当てフレームとハーネスとの間の相対位置を使用者が記憶することを可能とするような位置制御読出手段を備えている。この態様は、使用状況によっては、最も適切なものである。
【００３３】
特別の構成においては、ストラップ（６）は、長さにわたっての一部上において、実質的には復帰手段（７）を巻回している場所において、所定間隔をなすような目盛付きのスケール（１４）を有している。これにより、背当てフレームとハーネスとの間の相対位置を規定することができる。
【００３４】
使用者は、この目盛付きスケール（１４）を視認することができ、復帰手段（７）上には、基準を形成し得るよう、参照インデックス（１５）を形成することができる。
【００３５】
しかしながら、特定の実施形態（図１１〜図１３）においては、上側復帰手段（７）は、ロック機構（１１）の全体を保護するためのカバー（１６）を受領し得るよう構成されている。この保護カバー（１６）は、復帰手段に対して固定されているあるいは関節結合されている。保護カバー（１６）は、任意の適切な材料から形成される。前面（１６ａ）側においては、保護カバー（１６）は、鉛直方向ウィンドウ（１６ｂ）を有している。この鉛直方向ウィンドウ（１６ｂ）は、ストラップ（６）に対向することができ、特に、目盛付きスケールに対して対向することができる。この場合には、保護カバーに、参照インデックス（１５）が設けられる。したがって、使用者は、ストラップ（６）の目盛ゾーンを容易に認識することができ、ハーネスに対しての背当てフレームの特定相対位置に対応した適切な目盛を記憶することができる。この構成は、実用的であって、迅速な調整を可能とする。特に、背当てフレームが複数の使用者によって使用される場合でも、あるいは、取扱い性が悪いことのために調整の設定変更が必要とされた場合でも、迅速な調整を可能とする。目盛付きスケールは、数字とすることも、英数字とすることも、または他のものとすることも、できる。
【００３６】
よって、本発明においては、使用者は、製品に関連した背当てフレームの位置を、キャリーハーネスに対して、微細に調節することができ最適化することができる。
【００３７】
容易に取り付けることができ、実施が簡単である。本発明によって提案された手段は、使用者に対しての大いなる快適さをもたらす。使用者は、いつでも、製品の位置を即座に調整することができる。ハーネスに対しての背当てフレームの位置制御も、また、使用の快適さを保証する。
【００３８】
本発明は、上記の各種製品に対して適用される。しかしながら、それら用途は、例示のためのものであって、本発明の用途を限定するものではない。
【図面の簡単な説明】
【００３９】
【図１】学生カバンタイプの通学カバンに対してという第１応用に関して、本発明に基づく背中で荷物を運ぶための装具を示す図である。
【図２】屋外仕事のためのリュックサックに対しての応用に関して、図１の原理を適用した装具を示す図である。
【図３】車輪付きスーツケースタイプの旅行カバンに対しての応用に関して、図１の原理を適用した装具を示す図である。
【図４】しょいこに対しての応用に関して、図１の原理を適用した装具を示す図である。
【図５】本発明による図１の装具における各構成要素を示す背面図である。
【図６】本発明による図２の装具における各構成要素を示す背面図である。
【図７】本発明による図３の装具における各構成要素を示す背面図である。
【図８】本発明による図４の装具における各構成要素を示す背面図である。
【図９】本発明による装具の第１実施形態を示す部分的な正面図である。
【図１０】図９における１０−１０線に沿った矢視断面図である。
【図１１】本発明による装具の変形例を示す部分的な正面図である。
【図１２】図１１における１２−１２線に沿った矢視断面図である。
【図１３】調整デバイスによる位置制御のための保護カバーの使用を示す部分的な斜視図である。
【符号の説明】
【００４０】
１    背当てフレーム
２    キャリーハーネス
４    引っ張り手段
４ａ  第１端
４ｂ  把持手段
４ｃ  他端
５    無端ベルト
６    ストラップ
６ａ  一端
６ｂ  他端、自由端
７    第１の上側復帰手段
７ａ  下側ピン
７ｄ  シェル部分
７ｆ  ピン
７ｇ  上側ピン
７ｈ  係止壁
８    第２の下側復帰手段、バックル固定具
８ａ  ピン
８ｂ  第２のピン
９    ループ
９ａ  下端
１１    ロック機構
１１ａ  ギザギザ形状部分
１１ｂ  張出アーム
１２    弾性復帰手段
１２ａ  一方の脚
１２ｂ  他方の脚
１３    把持引っ張りタング
１４    目盛付きスケール
１５    参照インデックス
１６    保護カバー（カバー）
１６ａ  前面
１６ｂ  ウィンドウ
Ｍ１  第１位置制御調整手段
Ｍ２  第２位置制御調整手段
【図１】
2004275749.tif 000003
【図２】
2004275749.tif 000004
【図３】
2004275749.tif 000005
【図４】
2004275749.tif 000006
【図５】
2004275749.tif 000007
【図６】
2004275749.tif 000008
【図７】
2004275749.tif 000009
【図８】
2004275749.tif 000010
【図９】
2004275749.tif 000011
【図１０】
2004275749.tif 000012
【図１１】
2004275749.tif 000013
【図１２】
2004275749.tif 000014
【図１３】
2004275749.tif 000015